(57)【要約】【課題】繰り返し書き込みによる相変化光ディスクの劣化を抑制し、書換可能回数の低下を抑制するデータ書込装置を提供する。【解決手段】プライマリＳＹＮＣ１が選択されたときの累積的なＤＳＶ値、すなわち加算結果Ａ１の絶対値と、セカンダリＳＹＮＣが選択されたときの累積的なＤＳＶ値、すなわち加算結果Ａ２の絶対値とを比較し、加算結果の絶対値が小さい方の同期信号が選択されるように判定信号ＳＪを出力する比較部を備えた。擬似乱数Ｒを出力する擬似乱数発生回路２０を備えた。判定信号ＳＪと擬似乱数ＲとがＥＯＲ回路１９によって論理演算されることにより、判定信号ＳＪの論理値が反転された選択信号ＳＳがランダムに出力される。【選択図】図１
2008084477.tif 000002
【特許請求の範囲】
【請求項１】
各同期フレームの先頭に、異なる同期データが設定されたプライマリ同期信号及びセカンダリ同期信号のいずれか一方が同期情報として付加された記録データを相変化光ディスクに記録するデータ書込装置であって、
前記各同期フレーム毎に、前記プライマリ同期信号が選択されたときの累積的なＤＳＶ（Digital Sum Value）値と、前記セカンダリ同期信号が選択されたときの累積的なＤＳＶ値とを比較し、該ＤＳＶ値の絶対値が小さくなるように、前記プライマリ同期信号及び前記セカンダリ同期信号のいずれか一方を選択する第１選択信号を出力する比較部と、
前記第１選択信号の論理値をランダムな回数毎に強制的に反転させ、前記第１選択信号を第２選択信号として出力する反転部と、
前記第２選択信号の論理値に基づいて、前記プライマリ同期信号及びセカンダリ同期信号のいずれか一方を前記同期情報として選択して出力する選択回路と
を備えたことを特徴とするデータ書込装置。
【請求項２】
前記反転部は、
擬似乱数を生成する擬似乱数発生回路と、
前記擬似乱数に基づいて、前記第１選択信号の論理値を反転させる反転回路とから構成される
ことを特徴とする請求項１に記載のデータ書込装置。
【請求項３】
前記反転回路は、前記第１選択信号と前記擬似乱数とが入力され、前記第１選択信号の論理値と前記擬似乱数の論理値とを論理演算して、その論理演算結果を前記第２選択信号として出力するＥＯＲ回路及びＥＮＯＲ回路のいずれか一方から構成される
ことを特徴とする請求項２に記載のデータ書込装置。
【請求項４】
前記反転回路は、前記擬似乱数と前記第１選択信号と前記第１選択信号の論理値が反転された反転信号とが入力され、前記擬似乱数の論理値に基づいて、前記第１選択信号及び前記反転信号のいずれか一方を選択して前記第２選択信号として出力する選択スイッチから構成される
ことを特徴とする請求項２に記載のデータ書込装置。
【請求項５】
前記同期情報が記録データとして出力されるたびに、カウント値をカウントアップし、該カウント値が予め設定された所定値に達するまで、前記反転回路を動作させる反転制御信号を前記反転回路に出力するカウンタを備え、
前記反転回路は、前記カウンタから前記反転制御信号が入力されているときに動作し、前記カウンタから前記反転制御信号が未入力のときには停止する
ことを特徴とする請求項２〜４のいずれか１つに記載のデータ書込装置。
【請求項６】
前記反転回路は、前記第１選択信号と前記擬似乱数とが入力され、前記カウンタから前記反転制御信号が入力されているときには前記擬似乱数を前記第２選択信号として出力し、前記カウンタから前記反転制御信号が未入力のときには前記第１選択信号を第２選択信号として出力する
ことを特徴とする請求項５に記載のデータ書込装置。
【請求項７】
各同期フレームの先頭に、異なる同期データが設定されたプライマリ同期信号及びセカンダリ同期信号のいずれか一方が同期情報として付加された記録データを相変化光ディスクに記録するデータ書込装置であって、
前記各同期フレーム毎に、前記プライマリ同期信号が選択されたときの累積的なＤＳＶ値（Digital Sum Value）と、前記セカンダリ同期信号が選択されたときの累積的なＤＳＶ値とを比較し、該ＤＳＶ値の絶対値が小さくなるように、前記プライマリ同期信号及び前記セカンダリ同期信号のいずれか一方を選択する第１選択信号を出力する比較部と、
前記第１選択信号の論理値を所定回数毎に強制的に反転させ、前記第１選択信号を第２選択信号として出力する反転部と、
前記第２選択信号の論理値に基づいて、前記プライマリ同期信号及びセカンダリ同期信号のいずれか一方を前記同期情報として選択して出力する選択回路と
を備えたことを特徴とするデータ書込装置。
【請求項８】
前記反転部は、
前記第１選択信号と前記第１選択信号の論理値が反転された反転信号とが入力される選択スイッチと、
前記第１選択信号を反転させる反転制御信号を、所定のタイミングで前記選択スイッチに出力する反転制御部と、から構成され、
前記選択スイッチは、前記反転制御信号が入力されているときに前記反転信号を前記第２選択信号として出力し、前記反転制御信号が未入力のときに前記第１選択信号を前記第２選択信号として出力する
ことを特徴とする請求項７に記載のデータ書込装置。
【請求項９】
前記プライマリ同期信号が選択されたときの累積的なＤＳＶ値及び前記セカンダリ同期信号が選択されたときの累積的なＤＳＶ値と予め設定されたしきい値とを比較し、前記プライマリ同期信号が選択されたときの累積的なＤＳＶ値及び前記セカンダリ同期信号が選択されたときの累積的なＤＳＶ値の少なくとも一方がしきい値よりも大きくなったときに、反転部の動作を停止させる判定回路を備えた
ことを特徴とする請求項１〜８のいずれか１つに記載のデータ書込装置。
【請求項１０】
各同期フレームの先頭に、異なる同期データが設定されたプライマリ同期信号及びセカンダリ同期信号のいずれか一方が同期情報として付加された記録データを相変化光ディスクに記録するデータ書込方法であって、
前記各同期フレーム毎に、前記プライマリ同期信号が選択されたときの累積的なＤＳＶ（Digital Sum Value）値と、前記セカンダリ同期信号が選択されたときの累積的なＤＳＶ値とを比較するステップと、
前記ＤＳＶ値の絶対値が小さくなるように、前記プライマリ同期信号及び前記セカンダリ同期信号のいずれか一方を選択する選択信号を出力するステップと、
前記選択信号の論理値をランダムな回数毎に強制的に反転させて出力するステップと、
前記選択信号の論理値に基づいて、前記プライマリ同期信号及びセカンダリ同期信号のいずれか一方を前記同期情報として選択するステップと
を備えたことを特徴とするデータ書込方法。
【発明の詳細な説明】
【技術分野】
【０００１】
本発明は、データ書込装置及びデータ書込方法に関するものである。近年、ＤＶＤ−ＲＷやＤＶＤ＋ＲＷといった繰り返し記録可能な相変化光ディスクが広く用いられている。このような相変化光ディスクでは、同一のデータが同一の場所に繰り返し書き込まれると、次に異なるデータを書き込む時に正確に記録できなくなることがあるため、そのような不具合を低減することが求められている。
【背景技術】
【０００２】
従来、ＤＶＤ−ＲＷやＤＶＤ＋ＲＷといった繰り返し記録可能な相変化光ディスクに対するデジタルデータの記録は、「結晶状態」の記録層に強いレーザ光を照射して溶解温度にし、それを急速に冷やして「非晶質（アモルファス）状態」に変化させて「マーク」を形成することにより行われている。このマークを形成した記録層は、通常、マークとマークの間が結晶状態である「スペース」になっている。そして、結晶状態とアモルファス状態との反射率（光屈折率）を利用してデジタルデータの再生を行っている。
【０００３】
ＤＶＤ−ＲＷを例に取って、このような相変化光ディスクに対するデータの書き込みについて図９に従って説明する。
データ書込装置１においてＤＶＤ−ＲＷにデータを記録する際には、ホストインターフェースＨＯＳＴ  Ｉ／Ｆから送られる記録すべきデータが、ＣＰＵ３により制御されるコントローラ部４を通じてバッファメモリ５に格納される。コントローラ部４の変調回路５０は、バッファメモリ５から記録すべきデータを読み出し、その記録すべきデータに変調処理を施す。変調回路５０は、変調処理を施したデータを記録データＷＤとしてライトチャネル部６に供給する。また、変調回路５０は、ライトクロック信号ＷＣＬＫを上記記録データＷＤとともに、ライトチャネル部６に供給する。ライトチャネル部６は、ライトクロック信号ＷＣＬＫに基づいて、入力された記録データＷＤを、ピックアップ７を介してＤＶＤ−ＲＷに書き込む。
【０００４】
この種のデータ書込装置１の変調回路５０では、ＤＶＤ−ＲＷへの高密度記録を実現するために、記録すべきデータに対して、８ビットのデータを１６ビットのデータに変換する８−１６変調が施される。さらに、変調回路５０は、８−１６変調の施されたデータを、ＮＲＺＩ（Non Return to Zero Invert）方式によりデータ変換して、ＮＲＺＩ形式の変調データＭＤを生成する。ここで、ＮＲＺＩ方式とは、データビット値「１」の時点で直前の値を反転し、データビット値「０」で直前の値を維持する方式のことである。なお、ＮＲＺＩ形式の変調データＭＤは、３Ｔ〜１１Ｔ（Ｔは基準のクロック長）のデータ長のマーク及びスペースによって形成される。
【０００５】
次に、変調回路５０は、復調時に同期検出を行うために、図１０に示すように、９１バイトの変調データＭＤ毎に２バイトの同期情報ＳＹＮＣを付加して、記録データＷＤを生成する。すなわち、記録データＷＤは、先頭の２バイトの同期情報ＳＹＮＣと９１バイトの変調データＭＤとから構成される同期フレームが複数連なって構成される。なお、この記録データのフレーム（セクタ）構造は、ＤＶＤ−ＲＷの物理セクタに対応している。
【０００６】
２バイトの同期情報ＳＹＮＣの候補として、図１１に示すように、フレーム番号を識別できるように異なる複数種類（例えば、８種類）の同期信号ＳＹ０〜ＳＹ７が用意されている。例えば、同期フレーム１の先頭には同期信号ＳＹ０が付加され、同期フレーム２の先頭には同期信号ＳＹ１が付加される。さらに、それぞれの同期信号ＳＹ０〜ＳＹ７には、同期データの異なるプライマリＳＹＮＣ１とセカンダリＳＹＮＣ２とが用意されている。図１２に示すように、同期信号ＳＹ０を例に取って説明すると、これらプライマリＳＹＮＣ１及びセカンダリＳＹＮＣ２は、ＮＲＺＩ形式に変換されたときに、１４Ｔ（先頭から１４ビット目の「１」から始まる同じレベルが１４クロック続くパターン）のデータ長のマークあるいはスペースを含む信号である。より詳しくは、プライマリＳＹＮＣ１の同期データは、１４Ｔが現れるまでの「１」の数が奇数となっており、セカンダリＳＹＮＣ２の同期データは、１４Ｔが現れるまでの「１」の数が偶数となっている。従って、プライマリＳＹＮＣ１の１４Ｔがスペースになる場合にはセカンダリＳＹＮＣ２の１４Ｔがマークとなり、プライマリＳＹＮＣ１の１４Ｔがマークになる場合にはセカンダリＳＹＮＣ２の１４Ｔがスペースとなる。
【０００７】
そして、変調回路５０は、ＮＲＺＩ形式のプライマリＳＹＮＣ１とセカンダリＳＹＮＣ２とのうち、ＤＳＶ（Digital Sum Value）値の絶対値が０に近くなる同期信号を選択して、同期情報ＳＹＮＣとして各フレームの先頭に付加する。ここで、ＤＳＶ値とは、図１２に示すように、２つの状態をとるビット列の一方の状態（ここでは、「１」）を＋１点、他方の状態（ここでは、「０」）を−１点としてビット列の先頭から累積した値である。すなわち、図１２に示す同期信号ＳＹ０では、付加される同期情報ＳＹＮＣの前までの累積ＤＳＶ値が「０」であり、直前の変調データビットが「０」である場合には、プライマリＳＹＮＣ１のＤＳＶ値を加えることによって−１０（＝０−１０）となり、セカンダリＳＹＮＣ２のＤＳＶ値を加えることによって４（＝０＋４）となる。従って、このような場合には、同期信号ＳＹ０のセカンダリＳＹＮＣ２が同期情報ＳＹＮＣとして選択されて、同期フレーム（例えば、同期フレーム１）の先頭に付加される。
【０００８】
このようにＤＳＶ値の絶対値を小さくすることによって、記録データＷＤの低周波成分を小さくすることができるため、再生装置に設ける２値化回路を簡易化でき、２値化誤差によって生じるジッタを小さくすることができる。
【０００９】
しかしながら、この種のデータ書込装置１において、例えば、同一のデータが多数回書き込まれると、同じ場所に同じデータが繰り返し書き込まれることになる。相変化光ディスクの性質として、同じ場所に繰り返し同一のデータが書込まれると、マーク及びその周辺が熱的ダメージ等によって劣化し、次に異なるデータ（例えば、スペース）を記録するときに、記録データを正確に書き込むことができない。これにより、相変化光ディスクの書換可能回数が低下してしまう。
【００１０】
そこで、このような相変化光ディスクの劣化を抑制するために、記録データの記録開始点をランダムに変化させる方法が提案されている（特許文献１参照）。詳しくは、記録データの記録開始点をセクタ（フレーム）内でランダムに変化させることによって、同一のデータが同じ場所に書き込まれることを抑制することができるため、相変化光ディスクの劣化を抑制することができる。
【特許文献１】特公平８−１０４８９号公報
【発明の開示】
【発明が解決しようとする課題】
【００１１】
ところが、ＤＶＤ−ＲＷ規格やＤＶＤ＋ＲＷ規格では、記録データの記録開始位置に余裕がないため、その記録開始位置における変動可能な範囲が限定されている。そのため、いくら記録開始位置をランダムに変化させたとしても、図１３のように、同期情報ＳＹＮＣ内の１４Ｔにおいて常に同一のデータが書き込まれる場所が存在してしまう。従って、この同一のデータが繰り返し書き込まれる場所及びその周辺は、熱的ダメージ等によって劣化することになるため、結果的に、相変化光ディスクの書換可能回数が低下するという問題が生じる。
【００１２】
本発明は上記問題点を解決するためになされたものであって、その目的は、繰り返し書き込みによる相変化光ディスクの劣化を抑制し、書換可能回数の低下を抑制するデータ書込装置及びデータ書込方法を提供することにある。
【課題を解決するための手段】
【００１３】
上記目的を達成するため、請求項１に記載の発明は、各同期フレームの先頭に、異なる同期データが設定されたプライマリ同期信号及びセカンダリ同期信号のいずれか一方が同期情報として付加された記録データを相変化光ディスクに記録するデータ書込装置であって、前記各同期フレーム毎に、前記プライマリ同期信号が選択されたときの累積的なＤＳＶ（Digital Sum Value）値と、前記セカンダリ同期信号が選択されたときの累積的なＤＳＶ値とを比較し、該ＤＳＶ値の絶対値が小さくなるように、前記プライマリ同期信号及び前記セカンダリ同期信号のいずれか一方を選択する第１選択信号を出力する比較部と、前記第１選択信号の論理値をランダムな回数毎に強制的に反転させ、前記第１選択信号を第２選択信号として出力する反転部と、前記第２選択信号の論理値に基づいて、前記プライマリ同期信号及びセカンダリ同期信号のいずれか一方を前記同期情報として選択して出力する選択回路とを備えた。
【００１４】
この構成によれば、ランダムな回数毎に第１選択信号の論理値を強制的に反転させて、その反転させた信号を第２選択信号として出力することができる。これによって、選択回路において、第１選択信号の論理値によって選択される同期信号（例えば、プライマリ同期信号）とは反対の同期信号（例えば、セカンダリ同期信号）が選択されて同期情報として出力される。このように、選択回路から出力される同期情報を反転部によって変化させることができるため、全く同一の記録データが生成されることを抑制することができる。従って、同一のデータが同一の場所に書き込まれることを抑制することができ、繰り返し書換による劣化を抑制することができる。その結果、書換可能回数の低下を抑制することができる。
【００１５】
請求項２に記載の発明は、前記反転部は、擬似乱数を生成する擬似乱数発生回路と、前記擬似乱数に基づいて、前記第１選択信号の論理値を反転させる反転回路とから構成される。この構成によれば、擬似乱数発生回路によって、論理値がランダムに変化する擬似乱数を生成することができる。そして、その擬似乱数によって、第１選択信号の論理値をランダムに反転させることができる。
【００１６】
請求項３に記載の発明は、前記反転回路は、前記第１選択信号と前記擬似乱数とが入力され、前記第１選択信号の論理値と前記擬似乱数の論理値とを論理演算して、その論理演算結果を前記第２選択信号として出力するＥＯＲ回路及びＥＮＯＲ回路のいずれか一方から構成される。
【００１７】
請求項４に記載の発明は、前記反転回路は、前記擬似乱数と前記第１選択信号と前記第１選択信号の論理値が反転された反転信号とが入力され、前記擬似乱数の論理値に基づいて、前記第１選択信号及び前記反転信号のいずれか一方を選択して前記第２選択信号として出力する選択スイッチから構成される。
【００１８】
請求項５に記載の発明は、前記同期情報が記録データとして出力されるたびに、カウント値をカウントアップし、該カウント値が予め設定された所定値に達するまで、前記反転回路を動作させる反転制御信号を前記反転回路に出力するカウンタを備え、前記反転回路は、前記カウンタから前記反転制御信号が入力されているときに動作し、前記カウンタから前記反転制御信号が未入力のときには停止する。
【００１９】
通常、第１選択信号の論理値が強制的に反転されると、プライマリ同期信号とセカンダリ同期信号のうちＤＳＶ値が大きいなる方が選択されることになる。そのため、例えば同期フレームにおける同期情報の選択において、毎回、第１選択信号の論理値が反転されてしまうと、累積的なＤＳＶ値が増大し続ける。この累積的なＤＳＶ値が大きくなりすぎると、低周波成分が増大し、記録品質の低下及び再生時の障害を招くことにつながる。
【００２０】
これに対して、上記構成によれば、予め設定した所定値にカウンタのカウント値が達するまで、第１選択信号の論理値をランダムな回数毎に強制的に反転させる反転回路を動作させ、カウンタのカウント値が所定値に達すれば、反転回路の動作を停止させることができる。従って、カウンタのカウント値が所定値に達した後には、第１選択信号の論理値が反転されることがないため、ＤＳＶ値の増大を好適に抑制することができる。その結果、低周波成分の増大を抑制することができる。
【００２１】
請求項６に記載の発明は、前記反転回路は、前記第１選択信号と前記擬似乱数とが入力され、前記カウンタから前記反転制御信号が入力されているときには前記擬似乱数を前記第２選択信号として出力し、前記カウンタから前記反転制御信号が未入力のときには前記第１選択信号を第２選択信号として出力する。
【００２２】
この構成によれば、予め設定した所定値にカウンタのカウント値が達するまでは、ランダムに論理値が変化する擬似乱数を第２選択信号として出力することができる。従って、このときには、ランダムな確率で第１選択信号とは反対の論理値の擬似乱数が生成されるため、第１選択信号の論理値を反転させた第２選択信号をランダムに出力することができる。また、カウンタのカウント値が所定値に達すれば、第１選択信号をそのまま第２選択信号として出力することができる。従って、カウンタのカウント値が所定値に達した後には、第１選択信号の論理値が反転されることがないため、ＤＳＶ値の増大を好適に抑制することができる。その結果、低周波成分の増大を抑制することができる。
【００２３】
請求項７に記載の発明は、各同期フレームの先頭に、異なる同期データが設定されたプライマリ同期信号及びセカンダリ同期信号のいずれか一方が同期情報として付加された記録データを相変化光ディスクに記録するデータ書込装置であって、前記各同期フレーム毎に、前記プライマリ同期信号が選択されたときの累積的なＤＳＶ（Digital Sum Value）値と、前記セカンダリ同期信号が選択されたときの累積的なＤＳＶ値とを比較し、該ＤＳＶ値の絶対値が小さくなるように、前記プライマリ同期信号及び前記セカンダリ同期信号のいずれか一方を選択する第１選択信号を出力する比較部と、前記第１選択信号の論理値を所定回数毎に強制的に反転させ、前記第１選択信号を第２選択信号として出力する反転部と、前記第２選択信号の論理値に基づいて、前記プライマリ同期信号及びセカンダリ同期信号のいずれか一方を前記同期情報として選択して出力する選択回路とを備えた。
【００２４】
この構成によれば、所定回数毎に第１選択信号の論理値を強制的に反転させて、その反転させた信号を第２選択信号として出力することができる。これによって、選択回路において、第１選択信号の論理値によって選択される同期信号（例えば、プライマリ同期信号）とは反対の同期信号（例えば、セカンダリ同期信号）が選択されて同期情報として出力される。このように、選択回路から出力される同期情報を反転部によって変化させることができるため、全く同一の記録データが生成されることを抑制することができる。従って、同一のデータが同一の場所に書き込まれることを抑制することができ、繰り返し書換による劣化を抑制することができる。その結果、書換可能回数の低下を抑制することができる。
【００２５】
請求項８に記載の発明は、前記反転部は、前記第１選択信号と前記第１選択信号の論理値が反転された反転信号とが入力される選択スイッチと、前記第１選択信号を反転させる反転制御信号を、所定のタイミングで前記選択スイッチに出力する反転制御部と、から構成され、前記選択スイッチは、前記反転制御信号が入力されているときに前記反転信号を前記第２選択信号として出力し、前記反転制御信号が未入力のときに前記第１選択信号を前記第２選択信号として出力する。
【００２６】
請求項９に記載の発明は、前記プライマリ同期信号が選択されたときの累積的なＤＳＶ値及び前記セカンダリ同期信号が選択されたときの累積的なＤＳＶ値と予め設定されたしきい値とを比較し、前記プライマリ同期信号が選択されたときの累積的なＤＳＶ値及び前記セカンダリ同期信号が選択されたときの累積的なＤＳＶ値の少なくとも一方がしきい値よりも大きくなったときに、反転部の動作を停止させる判定回路を備えた。
【００２７】
前述したように、第１選択信号の論理値が強制的に反転されると、プライマリ同期信号とセカンダリ同期信号のうちＤＳＶ値が大きいなる方が選択されることになる。そのため、例えば同期フレームにおける同期情報の選択において、毎回、第１選択信号の論理値が反転されてしまうと、累積的なＤＳＶ値が増大し続ける。この累積的なＤＳＶ値が大きくなりすぎると、低周波成分が増大し、記録品質の低下及び再生時の障害を招くことにつながる。
【００２８】
これに対して、上記構成によれば、判定回路によって、プライマリ同期信号あるいはセカンダリ同期信号が選択された場合のそれぞれの累積的なＤＳＶ値がしきい値を超える可能性がある場合に、反転部の動作を停止させることができる。累積的なＤＳＶ値のしきい値以上の増大を抑制することができる。その結果、低周波成分の増大を抑制することができる。
【００２９】
請求項１０に記載の発明は、各同期フレームの先頭に、異なる同期データが設定されたプライマリ同期信号及びセカンダリ同期信号のいずれか一方が同期情報として付加された記録データを相変化光ディスクに記録するデータ書込方法であって、前記各同期フレーム毎に、前記プライマリ同期信号が選択されたときの累積的なＤＳＶ（Digital Sum Value）値と、前記セカンダリ同期信号が選択されたときの累積的なＤＳＶ値とを比較するステップと、前記ＤＳＶ値の絶対値が小さくなるように、前記プライマリ同期信号及び前記セカンダリ同期信号のいずれか一方を選択する選択信号を出力するステップと、前記選択信号の論理値をランダムな回数毎に強制的に反転させて出力するステップと、前記選択信号の論理値に基づいて、前記プライマリ同期信号及びセカンダリ同期信号のいずれか一方を前記同期情報として選択するステップとを備えた。
【００３０】
この構成によれば、ランダムな回数毎に選択信号の論理値を強制的に反転させて出力することができる。これによって、反転前の選択信号の論理値によって選択される同期信号（例えば、プライマリ同期信号）とは反対の同期信号（例えば、セカンダリ同期信号）が選択されて同期情報として出力される。このように、同期情報として出力される同期データを変化させることができるため、全く同一の記録データが生成されることを抑制することができる。従って、同一のデータが同一の場所に書き込まれることを抑制することができ、繰り返し書換による劣化を抑制することができる。その結果、書換可能回数の低下を抑制することができる。
【発明の効果】
【００３１】
以上説明したように、本発明によれば、繰り返し書き込みによる相変化光ディスクの劣化を抑制し、書換可能回数の低下を抑制するデータ書込装置を提供することができる。
【発明を実施するための最良の形態】
【００３２】
（第１実施形態）
以下、本発明を具体化した第１実施形態を図１〜図３に従って説明する。図１は、データ書込装置１のコントローラ部４（図９参照）内に設けられる変調回路１０を示す。なお、本実施形態における変調回路１０は、従来の変調回路５０の場合と同様に、ＤＶＤ−ＲＷに記録される記録データＷＤを生成する。
【００３３】
図１に示すように、変調回路１０の変調部１１は、バッファメモリ５から読み出した記録すべきデータに対して８−１６変調処理を施し、その８−１６変調されたデータをＮＲＺＩ形式に変換して変調データＭＤを生成する。変調部１１は、生成した変調データＭＤを、ＤＳＶ値演算部Ｐ１及び第１選択回路Ｓ１に出力する。なお、この変調データＭＤは、３Ｔ〜１１Ｔのデータ長のマーク及びスペースから形成されている。また、変調部１１は、各同期フレームの最後の変調データが「マーク」であるか「スペース」であるかを、信号ＳＬとして第１ＤＳＶ値格納部１２、ＳＹＮＣ１格納部１３、第２ＤＳＶ値格納部１４及びＳＹＮＣ２格納部１５に出力する。
【００３４】
ＤＳＶ値演算部Ｐ１は、変調部１１から入力される変調データＭＤにおけるＤＳＶ値Ｔｍを算出し、算出したＤＳＶ値Ｔｍを累積ＤＳＶ値演算部Ｐ２に出力する。
ＳＹＮＣ１格納部１３は、図１１に示した同期信号ＳＹ０〜ＳＹ７のそれぞれのプライマリＳＹＮＣ１を格納している。なお、図２に示すように、ＮＲＺＩ形式のプライマリＳＹＮＣ１は、直前のデータに依存して変化する。そのため、ＳＹＮＣ１格納部１３は、フレーム番号に対応するプライマリＳＹＮＣ１を、変調部１１から入力される信号ＳＬに基づいてＮＲＺＩ形式に変換して、第２選択回路Ｓ２に出力する。
【００３５】
第１ＤＳＶ値格納部１２は、ＳＹＮＣ１格納部１３に格納された８種類のプライマリＳＹＮＣ１におけるＤＳＶ値Ｔ１をそれぞれ格納している。なお、図２に示したように、ＤＳＶ値Ｔ１は、直前のデータに依存して変動するため、第１ＤＳＶ値格納部１２は、各々のプライマリＳＹＮＣ１について、直前のデータビットが「マーク」の場合と「スペース」の場合のＤＳＶ値Ｔ１をそれぞれ格納している。第１ＤＳＶ値格納部１２は、ＳＹＮＣ１格納部１３から出力されるプライマリＳＹＮＣ１におけるＤＳＶ値Ｔ１を第１加算部１６に出力する。
【００３６】
ＳＹＮＣ２格納部１５は、同期信号ＳＹ０〜ＳＹ７のそれぞれのセカンダリＳＹＮＣ２を格納している。ＳＹＮＣ２格納部１５は、フレーム番号に対応するセカンダリＳＹＮＣ２を、信号ＳＬに基づいてＮＲＺＩ形式に変換して、第２選択回路Ｓ２に出力する。
【００３７】
第２ＤＳＶ値格納部１４は、ＳＹＮＣ２格納部１５に格納された８種類のセカンダリＳＹＮＣ２におけるＤＳＶ値Ｔ２をそれぞれ格納している。なお、第２ＤＳＶ値格納部１４は、各々のセカンダリＳＹＮＣ２について、直前のデータが「マーク」の場合と「スペース」の場合のＤＳＶ値Ｔ２をそれぞれ格納している。第２ＤＳＶ値格納部１４は、ＳＹＮＣ２格納部１５から出力されるセカンダリＳＹＮＣ２におけるＤＳＶ値Ｔ２を第２加算部１７に出力する。
【００３８】
第１加算部１６には、第１ＤＳＶ値格納部１２からプライマリＳＹＮＣ１におけるＤＳＶ値Ｔ１が入力されるとともに、累積ＤＳＶ値演算部Ｐ２から直前のデータまでの累積ＤＳＶ値Ｔａが入力される。第１加算部１６は、ＤＳＶ値Ｔ１と累積ＤＳＶ値Ｔａとを加算して、その加算結果Ａ１を、比較部１８及び第３選択回路Ｓ３に出力する。
【００３９】
第２加算部１７には、第２ＤＳＶ値格納部１４からセカンダリＳＹＮＣ２におけるＤＳＶ値Ｔ２が入力されるとともに、累積ＤＳＶ値演算部Ｐ２から直前のデータまでの累積ＤＳＶ値Ｔａが入力される。第２加算部１７は、ＤＳＶ値Ｔ２と累積ＤＳＶ値Ｔａとを加算して、その加算結果Ａ２を、比較部１８及び第３選択回路Ｓ３に出力する。
【００４０】
比較部１８は、第１加算部１６から入力される加算結果Ａ１の絶対値と、第２加算部１７から入力される加算結果Ａ２の絶対値とを比較する。比較部１８は、加算結果Ａ１の絶対値の方が小さい場合には論理値「１」の判定信号ＳＪ（第１選択信号）をＥＯＲ回路１９に出力し、加算結果Ａ２の絶対値の方が小さい場合には論理値「０」の判定信号ＳＪをＥＯＲ回路１９に出力する。
【００４１】
ＥＯＲ回路１９に接続される擬似乱数発生回路２０は、擬似乱数Ｒを生成し、その擬似乱数ＲをＥＯＲ回路１９に出力する。図３に、この擬似乱数発生回路２０の内部構成を示した。
【００４２】
図３に示すように、擬似乱数発生回路２０は、レジスタ２１ａ〜２１ｈを有するシフトレジスタ部２１とＥＯＲ回路２２とからなる負帰還シフトレジスタ回路によって構成されている。詳しくは、シフトレジスタ部２１では、レジスタ２１ａ〜２１ｈの論理値が、クロック信号（図示略）に同期してそれぞれ右のレジスタにシフトする。すなわち、図３において、レジスタ２１ａの論理値「１」がレジスタ２１ｂにシフトし、レジスタ２１ｂの論理値「０」がレジスタ２１ｃにシフトする。このとき、レジスタ２１ｈの論理値「０」が擬似乱数Ｒとして出力されるとともに、レジスタ２１ｈの論理値「０」とレジスタ２１ｄの論理値「１」がＥＯＲ回路２２に出力される。すると、ＥＯＲ回路２２から論理値「１」がレジスタ２１ａに出力され、レジスタ２１ａの論理値が「１」になる。このように、各レジスタ２１ａ〜２１ｈの論理値が次々と変化し、レジスタ２１ｈから擬似乱数Ｒが出力される。
【００４３】
ＥＯＲ回路１９は、比較部１８から入力される判定信号ＳＪと、擬似乱数発生回路２０から入力される擬似乱数Ｒとに基づいて、選択信号ＳＳ（第２選択信号）を第２選択回路Ｓ２及び第３選択回路Ｓ３に出力する。詳しくは、比較部１８から論理値「１」の判定信号ＳＪが入力された場合（加算結果Ａ１の絶対値の方が小さい場合）には、論理値「０」の擬似乱数Ｒが入力されるとＥＯＲ回路１９から論理値「１」の選択信号ＳＳが出力され、論理値「１」の擬似乱数Ｒが入力されるとＥＯＲ回路１９から論理値「０」の選択信号ＳＳが出力される。一方、比較部１８から論理値「０」の判定信号ＳＪが入力された場合（加算結果Ａ１の絶対値の方が大きい場合）には、論理値「１」の擬似乱数Ｒが入力されるとＥＯＲ回路１９から論理値「１」の選択信号ＳＳが出力され、論理値「０」の擬似乱数Ｒが入力されるとＥＯＲ回路１９から論理値「０」の選択信号ＳＳが出力される。すなわち、判定信号ＳＪと擬似乱数Ｒとの論理値が同一の場合には、判定信号ＳＪの論路値がそのまま反映された選択信号ＳＳとして出力され、判定信号ＳＪと擬似乱数Ｒとの論理値が異なる場合には、判定信号ＳＪの論理値が反転された選択信号ＳＳが出力される。
【００４４】
第３選択回路Ｓ３は、論理値「１」の選択信号ＳＳが入力されると、第１加算部１６から入力される加算結果Ａ１を累積ＤＳＶ値演算部Ｐ２に出力する。一方、第３選択回路Ｓ３は、論理値「０」の選択信号ＳＳが入力されると、第２加算部１７から入力される加算結果Ａ２を累積ＤＳＶ値演算部Ｐ２に出力する。
【００４５】
累積ＤＳＶ値演算部Ｐ２は、上記ＤＳＶ値演算部Ｐ１から入力される変調データＭＤにおけるＤＳＶ値Ｔｍと、第３選択回路Ｓ３を通じて入力される加算結果Ａ１あるいは加算結果Ａ２と、に基づいてその時点での累積ＤＳＶ値Ｔａを算出する。すなわち、ＤＳＶ値演算部Ｐ１からＤＳＶ値Ｔｍが入力されたときには、格納している累積ＤＳＶ値ＴａとＤＳＶ値Ｔｍとを加算して、その加算結果を累積ＤＳＶ値Ｔａとして格納する。また、第３選択回路Ｓ３から加算結果Ａ１あるいは加算結果Ａ２が入力されたときには、その加算結果Ａ１，Ａ２を累積ＤＳＶ値Ｔａとして格納する。累積ＤＳＶ値演算部Ｐ２は、前述したように、この累積ＤＳＶ値Ｔａを第１加算部１６及び第２加算部１７に出力する。
【００４６】
第２選択回路Ｓ２は、論理値「１」の選択信号ＳＳが入力されると、プライマリＳＹＮＣ１を同期情報ＳＹＮＣとして第１選択回路Ｓ１に出力する。第３選択回路Ｓ３は、論理値「０」の選択信号ＳＳが入力されると、セカンダリＳＹＮＣ２を同期情報ＳＹＮＣとして第１選択回路Ｓ１に出力する。
【００４７】
第１選択回路Ｓ１は、変調データＭＤと同期情報ＳＹＮＣを切り替えるためのスイッチであり、コントローラ部４（図９参照）からのＳＹＮＣ選択信号及びクロック信号に基づき切り替えられる。すなわち、コントローラ部４からＳＹＮＣ選択信号が入力されてから所定クロックがカウントされるまでは、第１選択回路Ｓ１から同期情報ＳＹＮＣが記録データＷＤとしてライトチャネル部６に出力され、それ以外のタイミングにおいては、第１選択回路Ｓ１から変調データＭＤが記録データＷＤとしてライトチャネル部６に出力される。なお、ＳＹＮＣ選択信号は、変調データＭＤが９１バイト毎に区切られるように第１選択回路Ｓ１に入力される。
【００４８】
次に、このように構成された変調回路１０の動作について説明する。
まず、同期フレーム１（図１０参照）の同期情報ＳＹＮＣの選択が行われる。すなわち、ＳＹＮＣ１格納部１３から同期フレーム１に対応する同期信号ＳＹ０のプライマリＳＹＮＣ１が第２選択回路Ｓ２に出力され、ＳＹＮＣ２格納部１５から同期信号ＳＹ０のセカンダリＳＹＮＣ２が第２選択回路Ｓ２に出力される。このとき、第１ＤＳＶ値格納部１２は、同期信号ＳＹ０のプライマリＳＹＮＣ１におけるＤＳＶ値Ｔ１を第１加算部１６に出力し、第２ＤＳＶ値格納部１４は、同期信号ＳＹ０のセカンダリＳＹＮＣ２におけるＤＳＶ値Ｔ２を第２加算部１７に出力する。なお、ＤＶＤ−ＲＷの規格上、同期フレーム１の同期信号ＳＹ０においては、図１２に示すように論理値「０」から開始されるように設定されているため、ＤＳＶ値Ｔ１としては「−１０」、ＤＳＶ値Ｔ２としては「＋４」が常に出力される。
【００４９】
同期フレーム１のときには累積ＤＳＶ値Ｔａが「０」であるため、第１加算部１６からはＤＳＶ値Ｔ１の「−１０」がそのまま加算結果Ａ１として比較部１８に出力され、第２加算部１７からはＤＳＶ値Ｔ２の「＋４」がそのまま加算結果Ａ２として比較部１８に出力される。
【００５０】
次に、比較部１８は、加算結果Ａ１の絶対値（＝１０）と加算結果Ａ２の絶対値（＝４）とを比較し、加算結果Ａ２の絶対値の方が小さいと判定して、論理値「０」の判定信号ＳＪをＥＯＲ回路１９に出力する。
【００５１】
このとき、従来の変調回路５０では、ＥＯＲ回路１９及び擬似乱数発生回路２０が備えられていないため、この論理値「０」の判定信号ＳＪがそのまま第２選択回路Ｓ２に出力されて、第２選択回路Ｓ２においてセカンダリＳＹＮＣ２が選択されて同期情報ＳＹＮＣとして出力される。すなわち、同期フレーム１において、同期信号ＳＹ０のプライマリＳＹＮＣ１及びセカンダリＳＹＮＣ２におけるＤＳＶ値Ｔ１，Ｔ２は、常に「−１０」，「＋４」となるため、常にセカンダリＳＹＮＣ２が同期情報ＳＹＮＣとして出力される。従って、変調データＭＤ（ホストインターフェースＨＯＳＴ  Ｉ／Ｆを通じて入力される記録すべきデータ）が同一のデータであっても異なるデータであっても、同期フレーム１の同期情報ＳＹＮＣとしては、常に同期信号ＳＹ０のセカンダリＳＹＮＣ２が書き込まれることになる。このように同じ場所に繰り返し同一のデータが書込まれると、マーク及びその周辺が熱的ダメージ等によって劣化し、結果的に、相変化光ディスクの書換可能回数が低下してしまうことは前述した。
【００５２】
そこで、本実施形態の変調回路１０では、擬似乱数発生回路２０で擬似乱数Ｒを生成し、その擬似乱数Ｒと判定信号ＳＪとをＥＯＲ回路１９で論理演算することによって、判定信号ＳＪの論理値を反転させた選択信号ＳＳをランダムな回数毎に生成し、その選択信号ＳＳを第２選択回路Ｓ２に出力している。これにより、同一のデータが同一の場所に書き込まれることを抑制している。
【００５３】
具体的には、前述のように、論理値「０」の判定信号ＳＪが入力されている場合に、論理値「０」の擬似乱数ＲがＥＯＲ回路１９に入力されると、判定信号ＳＪと同一の論理値「０」の選択信号ＳＳがＥＯＲ回路１９から出力される。このときは、従来と同様に、第２選択回路Ｓ２においてセカンダリＳＹＮＣ２が選択されて、そのセカンダリＳＹＮＣ２が同期情報ＳＹＮＣとして出力される。一方、論理値「０」の判定信号ＳＪが入力されている場合に、論理値「１」の擬似乱数ＲがＥＯＲ回路１９に入力されると、判定信号ＳＪが反転した論理値「１」の選択信号ＳＳがＥＯＲ回路１９から出力される。このとき、論理値「１」の選択信号ＳＳによって、第２選択回路Ｓ２においてプライマリＳＹＮＣ１が選択されて、そのプライマリＳＹＮＣ１が同期情報ＳＹＮＣとして出力される。
【００５４】
すなわち、擬似乱数Ｒの論理値が判定信号ＳＪの論理値と同一の場合には、判定信号ＳＪの論理値をそのまま反映した選択信号ＳＳがＥＯＲ回路１９から出力される。一方、擬似乱数Ｒの論理値が判定信号ＳＪの論理値と異なる場合には、判定信号ＳＪの論理値が反転された選択信号ＳＳがＥＯＲ回路１９から出力される。そして、この擬似乱数Ｒの論理値は、図３に示した負帰還シフトレジスタによって略ランダムに変化される。従って、ランダムな回数毎に擬似乱数Ｒの論理値と判定信号ＳＪの論理値とが異なり、略ランダムに判定信号ＳＪの論理値が反転された選択信号ＳＳが出力される。この判定信号ＳＪの論理値が反転された選択信号ＳＳが出力されると、第２選択回路Ｓ２において、判定信号ＳＪの論理値によって選択される同期信号（例えば、プライマリＳＹＮＣ１）とは反対の同期信号（例えば、セカンダリＳＹＮＣ２）が選択されて出力される。このように、第２選択回路Ｓ２から出力される同期情報ＳＹＮＣが選択信号ＳＳによって変化させることができるため、同一の記録すべきデータから記録データＷＤを生成する場合であっても、記録データＷＤを生成する度に同期情報ＳＹＮＣのデータをランダムに変化させることができる。従って、同一のデータが同一の場所に書き込まれることを抑制することができる。
【００５５】
そして、プライマリＳＹＮＣ１及びセカンダリＳＹＮＣ２のいずれかである同期情報ＳＹＮＣは、コントローラ部４からのＳＹＮＣ選択信号が入力される第１選択回路Ｓ１によって、記録データＷＤとしてライトチャネル部６に出力される。
【００５６】
なお、同期フレーム２以降の同期情報ＳＹＮＣの選択についても、この判定信号ＳＪの論理値のランダムな反転が行われる。以下に、同期フレーム１の同期情報ＳＹＮＣとしてセカンダリＳＹＮＣ２が選択された場合の同期フレーム２における同期情報ＳＹＮＣの選択について説明する。
【００５７】
ＥＯＲ回路１９から論理値「０」の選択信号ＳＳが出力されると、第２選択回路Ｓ２からセカンダリＳＹＮＣ２が第１選択回路Ｓ１に出力されるとともに、第３選択回路Ｓ３から加算結果Ａ２（＝＋４）が累積ＤＳＶ値演算部Ｐ２に出力される。累積ＤＳＶ値演算部Ｐ２は、加算結果Ａ２（＝＋４）を累積ＤＳＶ値Ｔａとして格納する。
【００５８】
次に、第１選択回路Ｓ１にＳＹＮＣ選択信号が入力されてから所定クロックが経過すると、第１選択回路Ｓ１において、変調部１１から出力される同期フレーム１の変調データＭＤが選択されて、記録データＷＤとしてライトチャネル部６に出力される。このとき、ＤＳＶ値演算部Ｐ１によって、同期フレーム１の変調データＭＤにおけるＤＳＶ値Ｔｍが算出される。なお、以下の説明において、同期フレーム１の変調データＭＤにおけるＤＳＶ値Ｔｍが「＋６」であり、その変調データＭＤの最後のビットが「スペース」であると想定して説明する。
【００５９】
ＤＳＶ値演算部Ｐ１は、算出したＤＳＶ値Ｔｍ（＝＋６）を累積ＤＳＶ値演算部Ｐ２に出力する。累積ＤＳＶ値演算部Ｐ２は、ＤＳＶ値Ｔｍ（＝＋６）とそれまでの累積ＤＳＶ値Ｔａ（＝＋４）とを加算して、その加算結果を累積ＤＳＶ値Ｔａ（＝＋１０）として格納する。
【００６０】
一方、変調部１１は、同期フレーム１の変調データＭＤを出力すると、その変調データＭＤの最後のビットが「スペース」であることを示す信号ＳＬを、第１及び第２ＤＳＶ値格納部１２，１４、ＳＹＮＣ１格納部１３及びＳＹＮＣ２格納部１５に出力する。すると、信号ＳＬ及びフレーム番号に基づいて、ＳＹＮＣ１格納部１３及びＳＹＮＣ２格納部１５から、同期信号ＳＹ１のＮＲＺＩ形式のプライマリＳＹＮＣ１及びセカンダリＳＹＮＣ２がそれぞれ出力される。このとき、図２に示すように、直前データが「スペース」の場合には、同期信号ＳＹ１のプライマリＳＹＮＣ１のＤＳＶ値Ｔ１が「−８」となるため、第１ＤＳＶ値格納部１２は、「−８」のＤＳＶ値Ｔ１を第１加算部１６に出力する。また、同期信号ＳＹ１のセカンダリＳＹＮＣ２のＤＳＶ値Ｔ２が「＋６」となるため、第２ＤＳＶ値格納部１４は、「＋６」のＤＳＶ値Ｔ２を第２加算部１７に出力する。さらに、第１加算部１６及び第２加算部１７には、累積ＤＳＶ値演算部Ｐ２から累積ＤＳＶ値Ｔａ（＝＋１０）が入力される。
【００６１】
次に、第１加算部１６は、ＤＳＶ値Ｔ１（＝−８）と累積ＤＳＶ値Ｔａ（＝＋１０）とを加算して、その加算結果Ａ１（＝＋２）を比較部１８に出力する。第２加算部１７は、ＤＳＶ値Ｔ２（＝＋６）と累積ＤＳＶ値Ｔａ（＝＋１０）とを加算して、その加算結果Ａ２（＝＋１６）を比較部１８に出力する。
【００６２】
続いて、比較部１８は、加算結果Ａ１の絶対値（＝２）と加算結果Ａ２の絶対値（＝１６）とを比較し、加算結果Ａ１の絶対値の方が小さいと判定して、論理値「１」の判定信号ＳＪをＥＯＲ回路１９に出力する。
【００６３】
このとき、同期フレーム１の場合と同様に、擬似乱数発生回路２０から擬似乱数ＲがＥＯＲ回路１９に出力される。この擬似乱数Ｒによって、ＥＯＲ回路１９から出力される選択信号ＳＳの論理値が変化される。すなわち、論理値「１」の擬似乱数ＲがＥＯＲ回路１９に入力されると、判定信号ＳＪと同一の論理値「１」の選択信号ＳＳが出力される。このときは、従来と同様に、第２選択回路Ｓ２においてプライマリＳＹＮＣ１が選択されて、そのプライマリＳＹＮＣ１が同期情報ＳＹＮＣとして出力される。一方、論理値「０」の擬似乱数ＲがＥＯＲ回路１９に入力されると、判定信号ＳＪが反転した論理値「０」の選択信号ＳＳが出力される。このとき、論理値「０」の選択信号ＳＳによって、第２選択回路Ｓ２においてセカンダリＳＹＮＣ２が選択されて、そのセカンダリＳＹＮＣ２が同期情報ＳＹＮＣとして出力される。そして、プライマリＳＹＮＣ１及びセカンダリＳＹＮＣ２のいずれかである同期情報ＳＹＮＣは、コントローラ部４からＳＹＮＣ選択信号の入力される第１選択回路Ｓ１によって、記録データＷＤとしてライトチャネル部６に出力される。
【００６４】
以上、説明した本実施形態によれば、以下の効果を奏する。
（１）擬似乱数Ｒを発生する擬似乱数発生回路２０を設け、擬似乱数Ｒと比較部１８から出力される判定信号ＳＪとをＥＯＲ回路１９で論理演算するようにした。これにより、擬似乱数Ｒの論理値が判定信号ＳＪの論理値と同一の場合には、判定信号ＳＪの論理値をそのまま反映した選択信号ＳＳがＥＯＲ回路１９から出力される。一方、擬似乱数Ｒの論理値が判定信号ＳＪの論理値と異なる場合には、判定信号ＳＪの論理値が反転された選択信号ＳＳがＥＯＲ回路１９から出力される。そして、この擬似乱数Ｒの論理値は、図３に示した負帰還シフトレジスタによって略ランダムに変化される。従って、ランダムな回数毎に擬似乱数Ｒの論理値と判定信号ＳＪの論理値とが異なり、略ランダムに判定信号ＳＪの論理値が反転された選択信号ＳＳが出力される。この判定信号ＳＪの論理値が反転された選択信号ＳＳが出力されると、第２選択回路Ｓ２において、判定信号ＳＪの論理値によって選択される同期信号（例えば、プライマリＳＹＮＣ１）とは反対の同期信号（例えば、セカンダリＳＹＮＣ２）が選択されて同期情報ＳＹＮＣとして出力される。このように、第２選択回路Ｓ２から出力される同期情報ＳＹＮＣを選択信号ＳＳによって変化させることができるため、同一の記録すべきデータから記録データＷＤを生成する場合であっても、記録データＷＤを生成する度に同期情報ＳＹＮＣのデータをランダムに変化させることができる。従って、同一のデータが同一の場所に書き込まれることを抑制することができ、繰り返し書換による劣化を抑制することができる。
【００６５】
さらに、この同期情報ＳＹＮＣのデータが変化すると、図２に示すように、その最後のデータが「マーク」であるか「スペース」であるかが変化するため、その同期情報ＳＹＮＣに続く変調データＭＤの最初のデータが「マーク」となるか「スペース」となるかが変化することになる。従って、同期情報ＳＹＮＣが変化すると、それに続く変調データＭＤの内容も変化する。
【００６６】
これらのことから、本実施形態の変調回路１０によれば、たとえ同一の記録すべきデータから記録データＷＤを生成したとしても、全く同一の記録データが生成される可能性はほとんどないため、同一のデータが同一の場所に書き込まれることを抑制することができ、相変化光ディスクの書換可能回数の低下を抑制することができる。
【００６７】
（２）擬似乱数Ｒにより判定信号ＳＪの論理値が反転された選択信号ＳＳによって、従来では同一の記録すべきデータあるいは異なる記録すべきデータであっても略固定であった同期フレーム１の同期情報ＳＹＮＣのデータ内容を変化させることができる。これによって、劣化しやすい同期フレーム１の同期情報ＳＹＮＣの劣化を好適に抑制することができる。また、このように同期フレーム１の同期情報ＳＹＮＣ（記録開始直後のデータ）を変化させることができれば、たとえ同一の記録すべきデータが複数回記録される場合であっても、その後に続く記録データＷＤの内容も好適に変化させることができる。
【００６８】
（第２実施形態）
以下、本発明を具体化した第２実施形態を図４に従って説明する。この実施形態の変調回路３０は、判定回路３１を備えた点が上記第１実施形態と異なっている。以下、第１実施形態との相違点を中心に説明する。なお、先の図１〜図３に示した部材と同一の部材にはそれぞれ同一の符号を付して示し、それら各要素についての詳細な説明は省略する。
【００６９】
図４に示すように、判定回路３１には、第１加算部１６から加算結果Ａ１が入力されるとともに、第２加算部１７から加算結果Ａ２が入力される。判定回路３１は、予め格納しているしきい値と加算結果Ａ１，Ａ２の絶対値とをそれぞれ比較する。判定回路３１は、加算結果Ａ１，Ａ２の少なくとも１つがしきい値よりも大きくなった場合に、リセット信号Ｒｓを擬似乱数発生回路２０に出力する。
【００７０】
擬似乱数発生回路２０は、判定回路３１からリセット信号Ｒｓが入力されると、負帰還シフトレジスタの動作が停止され、擬似乱数Ｒの出力が停止される。従って、このときには、比較部１８から出力される判定信号ＳＪの論理値をそのまま反映した選択信号ＳＳがＥＯＲ回路１９から出力される。すなわち、判定回路３１からリセット信号Ｒｓが出力されたときには、擬似乱数Ｒによって判定信号ＳＪ（選択信号ＳＳ）の論理値が反転されることがない。
【００７１】
次に、このように構成された変調回路３０の動作について説明する。なお、判定回路３１に予め設定されているしきい値を「１４」とした場合について説明する。
まず、同期フレーム１（図１０参照）の同期情報ＳＹＮＣの選択が行われる。すなわち、第１実施形態と同様に、ＳＹＮＣ１格納部１３及びＳＹＮＣ２格納部１５から同期フレーム１に対応する同期信号ＳＹ０のプライマリＳＹＮＣ１及びセカンダリＳＹＮＣ２（図１２参照）が第２選択回路Ｓ２に出力される。このとき、第１ＤＳＶ値格納部１２は、「−１０」のＤＳＶ値Ｔ１を第１加算部１６に出力し、第２ＤＳＶ値格納部１４は、「＋４」のＤＳＶ値Ｔ２を第２加算部１７に出力する。
【００７２】
次に、第１加算部１６は、ＤＳＶ値Ｔ１の「−１０」をそのまま加算結果Ａ１として判定回路３１及び比較部１８に出力し、第２加算部１７は、ＤＳＶ値Ｔ２の「＋４」をそのまま加算結果Ａ２として判定回路３１及び比較部１８に出力する。判定回路３１は、加算結果Ａ１の絶対値（＝１０）としきい値（＝１４）とを比較するとともに、加算結果Ａ２の絶対値（＝４）としきい値（＝１４）とを比較する。そして、判定回路３１は、加算結果Ａ１，Ａ２が共に、しきい値よりも小さいと判定して、擬似乱数発生回路２０にリセット信号Ｒｓを出力しない。従って、擬似乱数発生回路２０は、第１実施形態と同様に動作する。すなわち、第１実施形態と同様に、擬似乱数Ｒによって、判定信号ＳＪの論理値が反転された選択信号ＳＳがランダムな回数毎にＥＯＲ回路１９から出力される。
【００７３】
次に、同期フレーム２における同期情報ＳＹＮＣの選択において、第１実施形態と同様に、第１加算部１６において加算結果Ａ１として「＋２」が算出され、第２加算部１７において加算結果Ａ２として「＋１６」が算出された場合について説明する。
【００７４】
第１加算部１６は、「＋２」の加算結果Ａ１を判定回路３１及び比較部１８に出力し、第２加算部１７は、「＋１６」の加算結果Ａ２を判定回路３１及び比較部１８に出力する。比較部１８は、加算結果Ａ１の絶対値（＝２）と加算結果Ａ２の絶対値（＝１６）とを比較し、加算結果Ａ１の絶対値の方が小さいと判定して、論理値「１」の判定信号ＳＪをＥＯＲ回路１９に出力する。
【００７５】
一方、判定回路３１は、加算結果Ａ１の絶対値（＝２）としきい値（＝１４）とを比較するとともに、加算結果Ａ２の絶対値（＝１６）としきい値（＝１４）とを比較する。そして、判定回路３１は、加算結果Ａ２がしきい値よりも大きいと判定して、擬似乱数発生回路２０にリセット信号Ｒｓを出力する。判定回路３１からリセット信号Ｒｓが擬似乱数発生回路２０に入力されると、擬似乱数発生回路２０は、その動作が停止され、擬似乱数Ｒの出力が停止される。
【００７６】
このとき、ＥＯＲ回路１９には、擬似乱数発生回路２０から擬似乱数Ｒが入力されないため、判定信号ＳＪの論理値「１」をそのまま反映した選択信号ＳＳ（論理値「１」）がＥＯＲ回路１９から出力される。すると、第２選択回路Ｓ２においてプライマリＳＹＮＣ１が選択されて、そのプライマリＳＹＮＣ１が同期情報ＳＹＮＣとして出力される。そして、この同期情報ＳＹＮＣは、コントローラ部４からＳＹＮＣ選択信号の入力される第１選択回路Ｓ１によって、記録データＷＤとしてライトチャネル部６に出力される。
【００７７】
すなわち、本実施形態では、加算結果Ａ１，Ａ２、すなわち同期信号選択後の累積ＤＳＶ値Ｔａがしきい値を超える可能性がある場合には、擬似乱数発生回路２０の動作を停止し、従来の変調回路５０と同様の動作を行わせるようにしている。
【００７８】
以上、説明した実施形態によれば、第１実施形態の（１）及び（２）の作用効果に加えて、以下の効果を奏する。
（３）上記第１実施形態における動作の説明でも明らかなように、擬似乱数Ｒによって選択信号ＳＳ（判定信号ＳＪ）の論理値が強制的に反転されると、プライマリＳＹＮＣ１とセカンダリＳＹＮＣ２のうちＤＳＶ値の大きい方が選択されることになる。そのため、例えば、毎回擬似乱数Ｒによって判定信号ＳＪの論理値が反転されてしまうと、累積ＤＳＶ値Ｔａが次々に増大する。この累積ＤＳＶ値Ｔａが大きくなりすぎると、低周波成分が増大し、記録品質の低下及び再生時の障害を招くことにつながる。
【００７９】
そこで、本実施形態の変調回路３０では、加算結果Ａ１，Ａ２、すなわち同期信号選択後の累積ＤＳＶ値Ｔａがしきい値を超える可能性がある場合に、擬似乱数発生回路２０の動作を停止させる判定回路３１を設けた。従って、擬似乱数Ｒにより同一のデータが同じ場所に記録されることを抑制しつつも、この判定回路３１によって、累積ＤＳＶ値Ｔａのしきい値以上の増大を抑制することができる。その結果、低周波成分の増大を抑制することができる。
【００８０】
（第３実施形態）
以下、本発明を具体化した第３実施形態を図５に従って説明する。この実施形態の変調回路４０は、カウンタ４１及び第４選択回路Ｓ４を備えた点が上記第１及び第２実施形態と異なっている。以下、第１及び第２実施形態との相違点を中心に説明する。なお、先の図１〜図３に示した部材と同一の部材にはそれぞれ同一の符号を付して示し、それら各要素についての詳細な説明は省略する。
【００８１】
図５に示すように、カウンタ４１には、同期情報ＳＹＮＣが記録データＷＤとして出力されたときに発生するＳＹＮＣ通過パルスＰＬが第１選択回路Ｓ１から入力される。カウンタ４１は、このＳＹＮＣ通過パルスＰＬが入力される度にカウント値をカウントアップする。カウンタ４１は、カウント値が予め設定された所定値に達するまでは、論理値「０」の信号ＳＣ（反転制御信号）を第４選択回路Ｓ４（選択スイッチ）に出力する。カウンタ４１は、カウント値が所定値に達すると、論理値「１」の信号ＳＣを第４選択回路Ｓ４に出力する。
【００８２】
第４選択回路Ｓ４は、カウンタ４１から論理値「０」の信号ＳＣが入力されている場合に、擬似乱数発生回路２０から入力される擬似乱数Ｒを選択信号ＳＳとして第２及び第３選択回路Ｓ２，Ｓ３に出力する。第４選択回路Ｓ４は、カウンタ４１から論理値「１」の信号ＳＣが入力されている場合に、比較部１８から入力される判定信号ＳＪを選択信号ＳＳとして第２及び第３選択回路Ｓ２，Ｓ３に出力する。
【００８３】
次に、このように構成された変調回路４０の動作について説明する。なお、カウンタ４１に予め設定されている所定値を「３」とした場合について説明する。
まず、同期フレーム１（図１０参照）の同期情報ＳＹＮＣの選択が行われる。すなわち、第１実施形態と同様に、ＳＹＮＣ１格納部１３及びＳＹＮＣ２格納部１５から同期フレーム１に対応する同期信号ＳＹ０のプライマリＳＹＮＣ１及びセカンダリＳＹＮＣ２（図１２参照）が第２選択回路Ｓ２に出力される。このとき、第１ＤＳＶ値格納部１２は、「−１０」のＤＳＶ値Ｔ１を第１加算部１６に出力し、第２ＤＳＶ値格納部１４は、「＋４」のＤＳＶ値Ｔ２を第２加算部１７に出力する。
【００８４】
次に、第１加算部１６は、ＤＳＶ値Ｔ１の「−１０」をそのまま加算結果Ａ１として比較部１８に出力し、第２加算部１７は、ＤＳＶ値Ｔ２の「＋４」をそのまま加算結果Ａ２として比較部１８に出力する。
【００８５】
比較部１８は、加算結果Ａ１の絶対値（＝１０）と加算結果Ａ２の絶対値（＝４）とを比較し、加算結果Ａ２の絶対値の方が小さいと判定して、論理値「０」の判定信号ＳＪを第４選択回路Ｓ４に出力する。
【００８６】
一方、擬似乱数発生回路２０は、論理値が略ランダムに変化する擬似乱数Ｒを第４選択回路Ｓ４に出力する。なお、ここでは擬似乱数Ｒの論理値を、判定信号ＳＪの論理値「０」とは反対の「１」であるとする。
【００８７】
カウンタ４１には、この時点では第１選択回路Ｓ１から１度もＳＹＮＣ通過パルスが入力されていないため、カウント値が「０」となっている。従って、カウンタ４１は、論理値「０」の信号ＳＣを第４選択回路Ｓ４に出力する。
【００８８】
次に、第４選択回路Ｓ４は、論理値「０」の信号ＳＣに基づいて、判定信号ＳＪとは反対の論理値「１」の擬似乱数Ｒを選択信号ＳＳとして第２及び第３選択回路Ｓ２，Ｓ３に出力する。すると、第２選択回路Ｓ２においてプライマリＳＹＮＣ１が選択されて、そのプライマリＳＹＮＣ１が同期情報ＳＹＮＣとして出力される。この同期情報ＳＹＮＣは、コントローラ部４からＳＹＮＣ選択信号の入力される第１選択回路Ｓ１によって、記録データＷＤとしてライトチャネル部６に出力される。同期情報ＳＹＮＣが記録データＷＤとして出力されると、ＳＹＮＣ通過パルスが第１選択回路Ｓ１からカウンタ４１に入力される。そして、カウンタ４１では、ＳＹＮＣ通過パルスの入力に基づいてカウント値をカウントアップされ、カウント値が「１」となる。
【００８９】
このように、本実施形態では、カウンタ４１から論理値「０」の信号ＳＣが第４選択回路Ｓ４に出力されている期間、すなわちカウント値が所定値に達するまでは、判定信号ＳＪとは関係なく、略ランダムに変化する擬似乱数Ｒの論理値が選択信号ＳＳとして出力される。従って、判定信号ＳＪとは反対の論理値の選択信号ＳＳがランダムに出力される。この判定信号ＳＪとは反対の論理値の選択信号ＳＳが出力されると、第２選択回路Ｓ２において、判定信号ＳＪの論理値によって選択される同期信号（例えば、セカンダリＳＹＮＣ２）とは反対の同期信号（例えば、プライマリＳＹＮＣ２）が選択されて出力される。このように、第２選択回路Ｓ２から出力される同期情報ＳＹＮＣが選択信号ＳＳによって変化させることができるため、同一の記録すべきデータから記録データＷＤを生成する場合であっても、記録データＷＤを生成する度に同期情報ＳＹＮＣのデータをランダムに変化させることができる。従って、同一のデータが同一の場所に書き込まれることを抑制することができるため、繰り返し書換による劣化を抑制することができる。
【００９０】
なお、本実施形態では、同期フレーム３の同期情報ＳＹＮＣの選択が終了して、第１選択回路Ｓ１から同期フレーム３の同期情報ＳＹＮＣが出力されて、ＳＹＮＣ通過パルスＰＬがカウンタ４１に出力されると、カウンタ４１のカウント値は「３」にカウントアップされる。これによって、カウンタ４１のカウント値が所定値の「３」に達するため、これ以降は、カウンタ４１から論理値「１」の信号ＳＣが出力されるようになる。第４選択回路Ｓ４は、論理値「１」の信号ＳＣが入力されると、擬似乱数Ｒに関係なく、比較部１８から入力される判定信号ＳＪが選択信号ＳＳとして出力される。すなわち、本実施形態では、同期フレーム４の同期情報ＳＹＮＣの選択から、従来の変調回路５０と同様の動作が行われる。
【００９１】
以上、説明した実施形態によれば、第１実施形態の（１）及び（２）と略同様の効果を奏し、さらに以下の効果を奏する。
（４）判定信号ＳＪに関係なく、論理値がランダムに変化する擬似乱数Ｒが選択信号ＳＳとして出力されると、第１及び第２実施形態における判定信号ＳＪの論理値がランダムに反転されることと同様に、判定信号ＳＪの論理値とは反対の論理値となる選択信号ＳＳがランダムに出力されることになる。すると、前述したように、プライマリＳＹＮＣ１とセカンダリＳＹＮＣ２のうちＤＳＶ値の大きい方が選択されることになる。そのため、例えば、毎回判定信号ＳＪと反対の論理値の選択信号ＳＳが出力されてしまうと、累積ＤＳＶ値Ｔａが次々に増大する。この累積ＤＳＶ値Ｔａが大きくなりすぎると、低周波成分が増大し、記録品質の低下及び再生時の障害を招くことにつながる。
【００９２】
そこで、本実施形態の変調回路４０では、カウンタ４１によって、予め設定した所定値、すなわち設定した同期フレームの数（本例では、同期フレーム１〜同期フレーム３）まで、擬似乱数Ｒによる同期情報ＳＹＮＣのランダム選択が行われるようにした。そして、カウンタ４１のカウント値が所定値を超えた後の同期フレーム（本例では、同期フレーム４）以降の同期情報ＳＹＮＣの選択を、従来の変調回路５０と同様に行うようにした。従って、擬似乱数Ｒによるランダム選択の行われる同期フレームにおいて、同一のデータが同じ場所に記録されることを抑制しつつも、従来の変調回路５０と同様の選択動作が行われる同期フレームにおいて、ＤＳＶ値の増大を好適に抑制することができる。その結果、低周波成分の増大を抑制することができる。
【００９３】
（他の実施形態）
なお、上記実施形態は、これを適宜変更した以下の態様にて実施することもできる。
・図６に示すように、第１実施形態のＥＯＲ回路１９を、比較部１８から出力される判定信号ＳＪとＮＯＴ回路２５により判定信号ＳＪの論理値が反転された反転信号ＳＪバーとが入力される第５選択回路Ｓ５に置き換え、さらに擬似乱数発生回路２０から出力される擬似乱数Ｒを第５選択回路Ｓ５の切替信号として使用するようにしてもよい。すなわち、第５選択回路Ｓ５は、論理値「１」の擬似乱数Ｒが入力されると、判定信号ＳＪを選択信号ＳＳとして出力し、論理値「０」の擬似乱数Ｒが入力されると、判定信号ＳＪの論理値が反転された反転信号ＳＪバーを選択信号ＳＳとして出力する。従って、選択信号ＳＳとして出力される判定信号ＳＪ及び反転信号ＳＪバーの選択切替を、略ランダムに変化する擬似乱数Ｒによって行うことができるため、判定信号ＳＪの論理値を反転させた反転信号ＳＪバーを選択信号ＳＳとして略ランダムに出力することができる。従って、この構成によれば、第１実施形態と略同様の効果を奏する。
【００９４】
・図７に示すように、第３実施形態の変調回路４０に、第１実施形態のＥＯＲ回路１９を組み合わせるようにしてもよい。すなわち、図７に示す変調回路４０では、比較部１８から判定信号ＳＪと擬似乱数発生回路２０から擬似乱数Ｒとが入力され、擬似乱数Ｒにより判定信号ＳＪの論理値をランダムに変化させた信号ＳＪＲを出力するＥＯＲ回路１９を備える。また、第４選択回路Ｓ４には、比較部１８から判定信号ＳＪとＥＯＲ回路１９から信号ＳＪＲとが入力される。これによれば、第４選択回路Ｓ４は、カウンタ４１から論理値「０」の信号ＳＣが入力されると、ＥＯＲ回路１９から入力される信号ＳＪＲを選択信号ＳＳとして出力する。一方、第４選択回路Ｓ４は、カウンタ４１から論理値「１」の信号ＳＣが入力されると、比較部１８から入力される判定信号ＳＪを選択信号ＳＳとして出力する。従って、この構成によれば、第３実施形態と略同様の効果を奏する。
【００９５】
・上記各実施形態では、略ランダムに論理値が変化する擬似乱数Ｒによって、判定信号ＳＪの論理値を反転させたが、図８に示す変調回路４５のように、所定のタイミング毎に判定信号ＳＪの論理値を反転させるようにしてもよい。
【００９６】
すなわち、変調回路４５は、図６に示した第５選択回路Ｓ５と、ＮＯＴ回路２５と、予め設定された所定値に基づいて、カウント値がその所定値に達する度に論理値「０」の信号ＳＣを第５選択回路Ｓ５に出力し、それ以外のタイミングでは論理値「１」の信号ＳＣを第５選択回路Ｓ５に出力するカウンタ４６と、を備える。なお、カウンタ４６のカウント値は、第１選択回路Ｓ１から出力されるＳＹＮＣ通過パルスＰＬに基づいてカウントアップされる。さらに、一回のＤＶＤ−ＲＷへの記録が終了しても、このカウント値はリセットされない。従って、例えば所定値を「３」に設定すると、同期フレーム１〜同期フレーム３における同期情報ＳＹＮＣの選択は、判定信号ＳＪの論理値に基づいて行われ、同期フレーム４における同期情報ＳＹＮＣの選択は、判定信号ＳＪの論理値を反転させた反転信号ＳＪバーに基づいて行われる。なお、カウント値は、所定値に達するとその値がリセットされ「０」となる。次に、一回目のＤＶＤ−ＲＷへの記録が終了して、二回目のＤＶＤ−ＲＷへの記録を行うときに、「２」のカウント値が格納されていたとすれば、同期フレーム３の同期情報ＳＹＮＣの選択が反転信号ＳＪバーによって行われる。従って、この構成によれば、所定回数（所定の同期フレーム数）毎に、確実に判定信号ＳＪの論理値を反転させた反転信号ＳＪバーを出力することができる。また、一回のＤＶＤ−ＲＷへの記録が終了してもカウント値がリセットされないため、反転信号ＳＪバーが選択信号ＳＳとして出力される同期フレーム数を毎回変化させることができる。これによって、たとえ同一の記録すべきデータから記録データを生成したとしても、同一のデータが同一の場所に書き込まれることを抑制することができる。
【００９７】
・上記第２実施形態における判定回路３１に設定されたしきい値の値に特に制限はない。なお、このしきい値を大きくすれば、同一のデータが書き込まれることを効果的に抑制することができ、しきい値を小さくすれば、累積ＤＳＶ値Ｔａの増大を効果的に抑制することができる。
【００９８】
・上記第３実施形態におけるカウンタ４１に設定された所定値は自由に設定してよい。
・上記第１及び第２実施形態におけるＥＯＲ回路１９をＥＮＯＲ回路に代えてもよい。
・上記各実施形態における擬似乱数発生回路２０の内部構成は、図３に示した回路に特に制限されない。
【００９９】
・上記各実施形態では、変調回路１０，３０，４０内でデータをＮＲＺＩ形式に変換してからライトチャネル部６に出力するようにしたが、例えばライトチャネル部６でデータをＮＲＺＩ形式に変換してもよい。
【０１００】
・上記各実施形態では、ＮＲＺＩ方式によってデータの変換を行ったが、例えばＮＲＺ（No Return to Zero）方式によってデータの変換を行うようにしてもよい。
・上記各実施形態では、各同期信号ＳＹ０〜ＳＹ７に含まれる同期情報は１４Ｔのデータ長であったが、１３Ｔのデータ長でもよい。
【０１０１】
・上記各実施形態では、記録データをＤＶＤ−ＲＷに書き込むようにしていたが、記録データをＤＶＤ＋ＲＷに書き込むようにしてもよい。
【図面の簡単な説明】
【０１０２】
【図１】第１実施形態の変調回路を示すブロック図。
【図２】プライマリＳＹＮＣ及びセカンダリＳＹＮＣのＤＳＶ値を示す説明図。
【図３】擬似乱数発生回路を示す回路図。
【図４】第２実施形態の変調回路を示すブロック図。
【図５】第３実施形態の変調回路を示すブロック図。
【図６】別例の変調回路を示すブロック図。
【図７】別例の変調回路を示すブロック図。
【図８】別例の変調回路を示すブロック図。
【図９】従来のデータ書込装置を示すブロック図。
【図１０】記録データの構造を示す説明図。
【図１１】同期信号を示す説明図。
【図１２】プライマリＳＹＮＣ、セカンダリＳＹＮＣ及びＤＳＶ値の説明図。
【図１３】同期情報の１４Ｔを示す説明図。
【符号の説明】
【０１０３】
Ｓ２  第２選択回路
Ｓ４  第４選択回路（選択スイッチ、反転回路）
Ｓ５  第５選択回路（選択スイッチ、反転回路）
１８  比較部
１９  ＥＯＲ回路（反転回路）
２０  擬似乱数発生回路（反転部）
３１  判定回路
４１  カウンタ
４６  反転制御部
【図１】
2008084477.tif 000003
【図２】
2008084477.tif 000004
【図３】
2008084477.tif 000005
【図４】
2008084477.tif 000006
【図５】
2008084477.tif 000007
【図６】
2008084477.tif 000008
【図７】
2008084477.tif 000009
【図８】
2008084477.tif 000010
【図９】
2008084477.tif 000011
【図１０】
2008084477.tif 000012
【図１１】
2008084477.tif 000013
【図１２】
2008084477.tif 000014
【図１３】
2008084477.tif 000015